(57)【要約】      （修正有）【課題】小用時に節水可能な小用節水便器構造を提供する。【解決手段】小用節水便器構造は、便器本体を備える。便器本体の台座１１内部には、溜水部１４が設けられる。溜水部１４は、最底部に排出口１７を有する。排出口１７の下部は、Ｕ字排水管路１８に接続される。台座１１の環状部１２には、上端に便座１３が配置される。台座１１の後部には、便器後部１５が設けられる。便器後部１５の上部には、洗浄スイッチ１６が設けられる。便器後部１５内部の上部には、給水管が配置される。給水管は、環状部内で環状に内設されている前部導水管及び後部導水管にそれぞれ接続される。前部導水管及び後部導水管は、複数の吐出孔を有する。Ｕ字排水管路１８内の貯留水の水位は、排出口１７より低い。便器本体には、手動式フラッシュバルブ又はセンサー式フラッシュバルブが外付けされ、その取付け位置を必要に応じて変更する。【選択図】図２
0003170406.tif 000002
【実用新案登録請求の範囲】
【請求項１】
便器本体を備え、前記便器本体の台座内部には、溜水部が設けられ、前記溜水部は、最底部に排出口を有し、前記排出口の下部は、Ｕ字排水管路に接続され、前記台座の環状部には、上端に便座が配置され、前記台座の後部には、便器後部が設けられ、前記便器後部の上部には、洗浄スイッチが設けられ、
前記便器後部内部の上部には、給水管が配置され、前記給水管は、前記環状部内で環状に内設されている前部導水管及び後部導水管にそれぞれ接続され、前記前部導水管及び前記後部導水管は、複数の吐出孔を有し、
前記前部導水管と前記後部導水管とが同じ長さで配置され、洗浄水は、まず、前記吐出孔が設けられていない部分の前記前部導水管を通って流入し、前記便器後部から前記溜水部の前端にかけて順次吐出され、前記後部導水管には、前記前部導水管に前記吐出孔が設けられている箇所に対応し、前記吐出孔が設けられていないため、前記前部導水管末端から連続するように、前記溜水部の前端から前記便器後部に向かって洗浄水を順次吐出し、
便器及び洗浄構造を変えて小用専用として使用し、前記洗浄スイッチが押圧されると、前記前部導水管及び前記後部導水管は、前記吐出孔から前記溜水部に、適量の洗浄水が順次吐出され、洗浄水が前記Ｕ字排水管路に流入して管内の汚水を押し出して外部に排出し、前記溜水部を洗浄することを特徴とする小用節水便器構造。
【請求項２】
前記Ｕ字排水管路内の貯留水の水位は、前記排出口より低い位置にあることを特徴とする請求項１に記載の小用節水便器構造。
【請求項３】
前記便器本体には、手動式フラッシュバルブ又はセンサー式フラッシュバルブが外付けされ、その取付け位置が必要に応じて変えられた位置にあることを特徴とする請求項１に記載の小用節水便器構造。
【請求項４】
前記便器本体は、洋式大便器、和式大便器、小便器又は男女兼用の小便器であることを特徴とする請求項１に記載の小用節水便器構造。
【考案の詳細な説明】
【技術分野】
【０００１】
本考案は、小用節水便器構造に関するものであり、さらに詳しくは、便器及び洗浄構造を変えることにより、小用時に節水可能な省エネルギー型の便器構造に関するものである。
【背景技術】
【０００２】
一般に使用されている大便器は、二段式の押圧式吐水構造を有し、大用時の洗浄水量が６Ｌに、小用時の洗浄水量が３Ｌにとそれぞれ設定されているため、ユーザーは必要に応じ、大用又は小用の洗浄水量を選択することにより節水効果を達成することができる。
しかしながら、このような構造を有する便器洗浄設備は、広く使用され、相当の節水効果を有するものの、使用する際、以下（１）及び（２）の欠点を有することが指摘されている。
（１）一般に小用時の洗浄水量は３Ｌと設定されているが、男性用小便器の一回の洗浄水量が１Ｌであることから考えると、３Ｌは依然として多く、小用時の洗浄水量は改善の余地がある。
（２）このような二段式の押圧式吐水構造は、長期間に亘って使用すると故障し易いため、使用上の問題がある上、専用の洗浄スイッチに取り替える必要がある。しかし、便器の型が古くて部品を調達できない場合もあり、便器全体を新しい便器に買い換えなければならない場合がある。
【０００３】
かかる状況において、特開平７−２４７５９２号公報（以下、「特許文献１」という。）には、便鉢内での渦流を十分に発生させるために洗浄水のシエット孔を有し、この対向側後部に一枚の上部隔壁のトラップ部を有する水洗便器が記載されている。しかし、節水の効果を奏する構造については開示されたものではない。
【０００４】
また、特開２００９−１５０１６０号公報（以下、「特許文献２」という。）には、旋回流を用いて洗浄する便器構造において、洗浄水がボウル後方まで有効に流れる構造が記載されている。しかし、特許文献１と同様に節水の技術思想を含む構造を開示したものではない。
【特許文献１】特開平７−２４７５９２号公報
【特許文献２】特開２００９−１５０１６０号公報
【考案の開示】
【考案が解決しようとする課題】
【０００５】
従って、本考案の第１の課題は、小用専用として使用され、男性用の小便器の洗浄水相当量で、便器の洗浄を行ない、好適な節水効果を得ることができる小用節水便器構造を提供することにある。
【０００６】
本考案の第２の課題は、洗浄スイッチが押圧されたとき、吐出孔から、適量の洗浄水を順次タイミングを合わせて吐出させることにより、効果的に溜水部を洗浄し、便器を衛生的に保持可能な小用節水便器構造を提供することにある。
【０００７】
本考案の第３の課題は、管内に少量の洗浄水を貯留させることができ、節水効果を有すると共に、衛生的な小用節水便器構造を提供することにある。
【課題を解決するための手段】
【０００８】
従って、本考案者は、前記の本考案の課題を解決するため鋭意検討を重ねた結果、第１の課題に対しては、便器及び洗浄構造を変えることにより達成することができ、第２の課題に対しては、環状部内部に前部導水路と後部導水路をそれぞれ同じ長さになるように内設することにより達成することができ、また、第３の課題に対しては、溜水部の最底部に設けられた排出孔の下部がＵ字形状の排水管路に接続され、洗浄水がＵ字排水管路に流入して管内の汚水を押し出して外部に排出するように構成することにより達成できることに着目し、かかる知見に基いて本考案に想到した。
【０００９】
かくして、上記課題を解決するために、本考案によれば、便器本体を備え、前記便器本体の台座内部には、溜水部が設けられ、前記溜水部は、最底部に排出口を有し、前記排出口の下部は、Ｕ字排水管路に接続され、前記台座の環状部には、上端に便座が配置され、前記台座の後部には、便器後部が設けられ、前記便器後部の上部には、洗浄スイッチが設けられ、
前記便器後部内部の上部には、給水管が配置され、前記給水管は、前記環状部内で環状に内設されている前部導水管及び後部導水管にそれぞれ接続され、前記前部導水管及び前記後部導水管は、複数の吐出孔を有し、
前記前部導水管と前記後部導水管とが同じ長さで配置され、洗浄水は、まず、前記吐出孔が設けられていない部分の前記前部導水管を通って流入し、前記便器後部から前記溜水部の前端にかけて順次吐出され、前記後部導水管には、前記前部導水管に前記吐出孔が設けられている箇所に対応し、前記吐出孔が設けられていないため、前記前部導水管末端から連続するように、前記溜水部の前端から前記便器後部に向かって洗浄水を順次吐出し、
便器及び洗浄構造を変えて小用専用として使用し、前記洗浄スイッチが押圧されると、前記前部導水管及び前記後部導水管は、前記吐出孔から前記溜水部に、適量の洗浄水が順次吐出され、洗浄水が前記Ｕ字排水管路に流入して管内の汚水を押し出して外部に排出し、前記溜水部を洗浄することを特徴とする小用節水便器構造
が提供される。
【００１０】
前記Ｕ字排水管路内の貯留水の水位は、前記排出口より低い位置にあることが好ましい。
【００１１】
前記便器本体には、手動式フラッシュバルブ又はセンサー式フラッシュバルブが外付けされ、その取付け位置が必要に応じて変えられた位置にあることが好ましい。
【００１２】
前記便器本体は、洋式大便器、和式大便器、小便器又は男女兼用の小便器であることが好ましい。
【考案の効果】
【００１３】
本考案は、前記の通りの構成からなるものであり、溜水部の洗浄を少量の洗浄水で行うことができ、かつ、貯溜水量を減少させることができるので、顕著な節水効果を奏することができる。
【図面の簡単な説明】
【００１４】
【図１】本考案の第１実施形態による小用節水便器構造の斜視図である。
【図２】本考案の第１実施形態による小用節水便器構造の断面図である。
【図３】本考案の第１実施形態による小用節水便器構造の導水管の配置を示す透視図である。
【図４】本考案の第１実施形態による小用節水便器構造が洗浄を行うときの状態を示す模式図である。
【図５】本考案の第１実施形態による小用節水便器構造の外付けの洗浄装置を示す斜視図である。
【図６】本考案の第１実施形態による小用節水便器構造の他の外付けの洗浄装置を示す斜視図である。
【図７】本考案の第１実施形態による小用節水便器構造を使用する状態を示す斜視図である。
【図８】本考案の第１実施形態による小用節水便器構造を使用する場合の他の状態を示す斜視図である。
【図９】本考案の第１実施形態による小用節水便器構造を小便器の排水構造に応用した場合の状態を示す断面図である。
【図１０】本考案の第２実施形態による小用節水便器構造を示す透視図である。
【考案を実施するための最良の形態】
【００１５】
以下、本考案の実施形態について図面に基づいて説明する。なお、これによって本考案が限定されるものではない。
【００１６】
（第１実施形態）
図１及び図２を参照する。図１及び図２に示すように、本考案の第１実施形態による便器本体１０は、台座１１を有する。台座１１は、内部に溜水部１４が設けられる。溜水部１４は、最底部に排出口１７を有し、排出口１７の下部は、Ｕ字排水管路１８に接続される。台座１１の環状部１２は、上部に便座１３が設けられ、台座１１の後部には、便器後部１５が設けられ、便器後部１５の上部には、洗浄スイッチ１６が設けられる。
【００１７】
図２〜図４を参照する。図２〜図４に示すように、便器後部１５内部は、上部に給水管２０が配置される。給水管２０は、環状部１２内部において、環状に内設されている前部導水管２１及び後部導水管２２に接続される。前部導水管２１及び後部導水管２２は、複数の吐出孔２３を有し、吐水の速度を同等にするために、前部導水管２１と後部導水管２２とが同じ長さになるよう配置される。洗浄水は、まず、吐出孔２３を有していない部分の前部導水管２１を介して流入し、便器後部１５から溜水部１４の前端にかけて順次吐出される。後部導水管２２は、前部導水管２１が吐出孔２３を有している箇所には、吐出孔２３を有していないため、前部導水管２１末端から連続するように、溜水部１４の前端から便器後部１５に向かって順次洗浄水を吐出する。このように、洗浄スイッチ１６を押圧したとき、適量の洗浄水が前部導水管２１及び後部導水管２２の吐出孔２３から、タイミングを合わせて順次吐出されるため、溜水部１４を効果的に洗浄することができる。洗浄水がＵ字排水管路１８に流入すると、管内の汚水が押し出だされて外部に排出され、少量の洗浄水が管内に貯留される。Ｕ字排水管路１８内の貯留水の水位は、排出口１７よりも低くなるように設定されているため、貯留水量が減り、貯留水として使用する洗浄水を少なくすることができるため、節水効果がある。
【００１８】
図５及び図６を参照する。図５及び図６に示すように、便器本体１０は、便器後部１５の占有空間を小さくするために、洗浄装置を、外付けの手動式フラッシュバルブ４０又はセンサー式フラッシュバルブ４１に変え、必要に応じて洗浄装置を取付ける位置を変えてもよい。
【００１９】
図７及び図８を参照する。図７及び図８に示すように、使用する際、本考案の第１実施形態による小用専用の便器本体１０を、一般の洋式大便器３０とともに設置することにより、大用時と小用時とで使用する便器を使い分けることにより、節水効果を高めてもよい。また、一般的な和式大便器３１もまた本考案の第１実施形態による洗浄方法及び便器構造に変えることにより、小用専用の和式大便器３１として使用してもよい。
【００２０】
図９を参照する。図９に示すように、一般的な男性専用の小便器３２の排水構造は、本考案の第１実施形態によるＵ字排水管路１８を用いることにより、小便器３２の貯留水量を減らすとともに、使用する洗浄水量を減らすこともできるため、節水効果を高めることができる。
【００２１】
（第２実施形態）
図１０を参照する。図１０に示すように、本考案の第２実施形態による便器本体は、男女兼用の小便器５０であり、小便器壁面５１と溜水部１４とを接続させた構造を有し、本考案の第１実施形態によるＵ字排水管路１８を接続してもよい。また、洗浄システムは、後部導水管５２が小便器壁面５１上端に設けられた水栓５３と接続し、環状部１２の前部に設けられた吐出管５５に前部導水管５４が接続される。第２実施形態の特徴は、後部導水管５２と前部導水管５４との長さを同じにすることにより、吐水のタイミングを合わせて小便器壁面５及び溜水部１４を洗浄することができる点にある。
【００２２】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０  便器本体
１１  台座
１２  環状部
１３  便座
１４  溜水部
１５  便器後部
１６  洗浄スイッチ
１７  排出口
１８  Ｕ字排水管路
２０  給水管
２１  前部導水管
２２  後部導水管
２３  吐出孔
３０  一般の洋式大便器
３１  和式大便器
３２  小便器
４０  手動式フラッシュバルブ
４１  センサー式フラッシュバルブ
５０  男女兼用の小便器
５１  小便器壁面
５２  後部導水管
５３  水栓
５４  前部導水管
５５  吐出管
【図１】
0003170406.tif 000003
【図２】
0003170406.tif 000004
【図３】
0003170406.tif 000005
【図４】
0003170406.tif 000006
【図５】
0003170406.tif 000007
【図６】
0003170406.tif 000008
【図７】
0003170406.tif 000009
【図８】
0003170406.tif 000010
【図９】
0003170406.tif 000011
【図１０】
0003170406.tif 000012